(57)【要約】【課題】簡易かつ簡便に位置精度を向上させることができるバンド用中留、バンド、および腕時計を提供すること。【解決手段】本発明に係るバンド用中留は、端部に第１ピン孔を有してなる固定部材と、端部に第２ピン孔を有してなる可動部材と、第１および第２ピン孔に挿通され、可動部材を回転可能に固定部材に連結する連結ピンと、固定部材と可動部材とが重なり合った位置で、固定部材と可動部材とを係止する係止部材と、を具備してなるバンド用中留において、すくなくとも第２ピン孔の内部に弾性部材が配設され、弾性部材が可動部材を一方向に押圧することを特徴とする。【選択図】図１
2010029355.tif 000002
【特許請求の範囲】
【請求項１】
端部に第１ピン孔を有してなる固定部材と、
端部に第２ピン孔を有してなる可動部材と、
前記第１および第２ピン孔に挿通され、前記可動部材を回転可能に前記固定部材に連結する連結ピンと、
前記固定部材と前記可動部材とが重なり合った位置で、前記固定部材と前記可動部材とを係止する係止部材と、を具備してなるバンド用中留において、
少なくとも前記第２ピン孔の内部に弾性部材が配設され、前記弾性部材が前記可動部材を一方向に押圧することを特徴とするバンド用中留。
【請求項２】
前記固定部材は、前記重なり合った位置で前記可動部材を収納する収容部を有する請求項１記載のバンド用中留。
【請求項３】
前記固定部材は、両端部に第１ピン孔を有し、その両端部に回転可能に連結される前記可動部材をそれぞれ有する請求項１又は２に記載のバンド用中留。
【請求項４】
前記第１ピン孔または前記第２ピン孔の少なくとも一方が樹脂又は金属で充填されて当該樹脂又は金属に写し孔が形成されたことを特徴とする請求項１記載のバンド用中留。
【請求項５】
前記固定部材と前記可動部材との少なくとも一方がセラミックスからなることを特徴とする請求項１〜４のいずれかに記載のバンド用中留。
【請求項６】
請求項１〜５のいずれかに記載のバンド用中留と、
前記中留の可動部材に接続されたバンド部と、を備えるバンド。
【請求項７】
請求項１〜５のいずれかに記載のバンド用中留と、
前記中留の可動部材に接続されたバンド部と、
前記バンド部に接続された時計部と、を備える腕時計。
【発明の詳細な説明】
【技術分野】
【０００１】
本発明は、例えば腕時計用バンドに用いられる中留に関する。
【背景技術】
【０００２】
本発明に係る中留は、図９に示すように、腕等に捲回された環状の腕時計用バンドを緩めたり締め付けたりするためのものであって、例えば腕時計用バンドの一部に取り付けられ片開き式若しくは両開き式に回動させることにより、腕時計を腕から取り外したりこれに取り付けたりすることができる。
【０００３】
通常、金属は成形性が容易であることから中留は金属により構成されることが多い。しかしながら、今日審美性の観点から時計用バンドの中留をセラミックスで構成したいという要求がある。例えば、特許文献１では、時計用バンドに使用される中留構造において、中留本体を例えばセラミックス等で構成することが開示されている（特許文献１）
【０００４】
しかしながら、中留等の可動装置をセラミックスで構成した場合、焼成により中留の大きさが変化するだけでなく、中留の形状により場所による収縮度合いが異なり孔の位置精度が低下して、中留の開閉を良好に行なうことができないという問題があった。そのため、中留を特にセラミックス等で構成する場合、中留の開閉を良好に行なうために何らかの位置精度を補償するための機構が求められていた。
【特許文献１】特開平７−２５５５１１号公報
【発明の開示】
【発明が解決しようとする課題】
【０００５】
本発明は、叙上に鑑みてなされたものであり、その目的とするところは、簡易かつ簡便に位置精度を向上させることができるバンド用中留、バンド、および腕時計を提供することにある。
【課題を解決するための手段】
【０００６】
本発明に係るバンド用中留は、上記目的を達成するため、端部に第１ピン孔を有してなる固定部材と、
端部に第２ピン孔を有してなる可動部材と、
前記第１および第２ピン孔に挿通され、前記可動部材を回転可能に前記固定部材に連結する連結ピンと、
前記固定部材と前記可動部材とが重なり合った位置で、前記固定部材と前記可動部材とを係止する係止部材と、を具備してなるバンド用中留において、
少なくとも前記第２ピン孔の内部に弾性部材が配設され、前記弾性部材が前記可動部材を一方向に押圧することを特徴とする。
【発明の効果】
【０００７】
本発明によれば、第１および第２ピン孔に挿通した連結ピンと少なくとも第２ピン孔の内壁との間のスペースに弾性部材が配設され、当該弾性部材により可動部材が一方向に押圧されるため、位置精度を向上させることができる。
【０００８】
したがって、本発明によれば、簡易かつ簡便に位置精度を向上させることができるバンド用中留、バンド、および腕時計を提供することができる。
【発明を実施するための最良の形態】
【０００９】
以下、図面を参照しながら、本発明に係る時計用バンドに関して詳細に説明する。しかしながら、以下に示す実施の形態は、本発明を例示するものであって、これに限定することを目的とするものではない。なお、各図において、共通する部材、構成要素については同一の符号を付し重複した説明を省略する。各構成要素の配置個数、配置位置等は限定的ではなく、バンドの使用目的、用途等に応じて適宜設定することができる。
【００１０】
（実施の形態１）
図１は、本発明の実施の形態１に係るバンド用中留、特に両開き式のバンド用中留の概略斜視図であり、図２（ａ）はその上面図、図２（ｂ）はその前面図である。
【００１１】
図１、図２（ａ）、および図２（ｂ）に示すように、本発明の実施の形態１に係るバンド用中留１は、端部に第１ピン孔３を有してなる固定部材２と、端部に第２ピン孔５を有してなる可動部材４と、第１および第２ピン孔３、５に挿通され、可動部材４を回転可能に固定部材２に連結する連結ピン６と、固定部材２と可動部材４とが重なり合った位置で、固定部材２と可動部材４とを係止する係止部材７と、を具備してなるバンド用中留１において、少なくとも第２ピン孔５の内部に弾性部材８が配設され、弾性部材８が可動部材４を一方向に押圧することを特徴とする。
【００１２】
図３および４は、固定部材２と可動部材４との連結部の拡大図である。可動部材４の両側には固定部材２が配置され、それらの端部にはそれぞれの長手方向に対して略垂直に第１ピン孔３、第２ピン孔５が形成されている。可動部材４に形成された第２ピン孔５の径を、固定部材２に形成された第１ピン孔３より大径とすることにより、弾性部材８を収納するスペース９が設けられている。可動部材４に形成された第２ピン孔５の直径は、固定部材２に形成された第１ピン孔３の直径より０．２ｍｍ〜０．９５ｍｍ大きいことが好ましく、０．３ｍｍ〜０．６ｍｍ大きいことがさらに好ましい。
【００１３】
本発明に係る弾性部材８は筒状体１０に付設されていることが好ましい。筒状体１０の貫通孔にはチューブ１１が挿通され、チューブ１１と筒状体１０とは互いに回転可能に配置されることから、筒状体１０に付設された弾性部材８は容易に方向転換することができる。この弾性部材８は可動部材４の長孔（第２ピン孔５）に嵌り込んで、弾性部材８と可動部材４とは一体的に回転可能であるから、上述のように弾性部材８が筒状体１０に付設され、チューブ１１と筒状体１０とは互いに回転可能に配置されることにより、可動部材４を固定部材２に対して抵抗なく回動させることができる。
【００１４】
弾性部材８が付設された筒状体１０にチューブ１１が挿通された状態では、弾性部材８は第２ピン孔５の内壁５’とチューブ１１の外表面１１’との間のスペース９に位置する。さらにチューブ１１の両端から、チューブ１１の内径より大径のピン１２が圧入されて、チューブ１１の両端の径が拡張されてチューブ１１は固定部材２に固定される。本実施の形態１に係るチューブ１１およびその両端に圧入されたピン１２は、本発明に係る連結ピン６に相当する。
【００１５】
図３に示すように、弾性部材８は、可動部材４の第２ピン孔５の内壁５’とチューブ１１の外表面１１’との間に形成されたスペース９にあって、可動部材４の他端側に位置し、略Ｕ字状に湾曲した弾性部材８の両端が、可動部材４の第２ピン孔５の内壁の可動部材他端側の内壁５’に接触して、弾性部材８は可動部材４をその他端方向に押圧している。そのため、可動部材４の開閉中においても、可動部材４の固定部材２に対するぐらつきを防止することができる。このことから、固定部材２に対して位置精度を良好に維持したまま可動部材４の開閉を実行することができる。ここで、可動部材４について、一端とは中留を組み付けた際外側に位置する方を意味し、他端とは中留を組み付けた際中央に位置する方を意味する。
【００１６】
可動部材４にその一端方向への外力が加わった場合、図４に示すように、略Ｕ字状の弾性部材８の両端が可動部材４の第２ピン孔５の内壁の可動部材他端側の内壁５’により押されて、弾性部材８は略Ｉ字状になっている。しかしながら、通常の外力程度であれば、図３の状態を維持することができ、位置精度を良好に保つことができる。
【００１７】
図５は、弾性部材８の斜視図である。弾性部材８は、筒状体１０の外表の一部に付設されている。本実施の形態１においては、弾性部材８は、略Ｕ字状に形成され、弾性部材の中央部分、すなわち弾性部材８のＵ字状部分の下部が筒状体１０に例えば接着剤等により付設されている。
【００１８】
弾性部材８は、弾性力が発生するものであれば如何なるものから構成されていても良く、例示すれば、金属、合金、プラスティック等が挙げられる。
【００１９】
弾性部材８は、可動部材４を一方向に押圧することができるものであれば、如何なる形態のものであっても良く、螺旋状のバネが筒状体に略垂直に取り付けられたもの等であっても良い。
【００２０】
図６（ａ）および（ｂ）は、固定部材２の上面図と前面図であり、左右対称に形成されたものの一方のみを図示している。固定部材２は、可動部材４の両側に位置するものであり、図６（ｂ）に示すように、中央付近には、係止部材が挿入される長孔１３を備える。一対の固定部材２が離間して配置され、固定部材間に形成されたスペースが、本発明における収容部に相当する。本実施の形態１においては、固定部材２は別体として形成されているが、一部が連接されたものであってもよい。固定部材２が連接された場合でも、固定部材２は離間した状態にあって、これらの間に可動部材４を収納する収容部が形成されることが肝要である。
【００２１】
本発明の実施の形態１に係る固定部材２の両端には第１ピン孔３が形成され、固定部材２の側面、すなわちこれらを組み付けた際に外側に配置される側面には、連結ピン６の頭部を収容するスペース３’を設けることが好ましい。連結ピン６の頭部は当該外表面からほとんど突出しないことから審美性に優れた構成とすることができる。
【００２２】
さらに、固定部材２は、左右対称に別々に形成されたものをバンド用中留１に使用するので、固定部材２の全面を綺麗に磨くことができ、バンド用中留１として組み付けたときに内側となる固定部材２の面も、従来の一体で構成される固定部材の内側の面に比べ、審美性に優れた構成のものとすることができる。
【００２３】
図７（ａ）〜（ｃ）は、本発明に係る可動部材４の上面図、前面図、側面図である。可動部材４の一端には、固定部材２と接続するための長孔、すなわち第２ピン孔５が貫通して形成されている。また、その他端上部には、例えば時計用バンド（不図示）に接続するための第１貫通孔１４が形成されている。さらに、他端下部には、可動部材４を係止部材７に固定しておくための第２貫通孔１５が形成され、係止部材７の一部が当該第２貫通孔１５に挿入されることにより、可動部材４が係止部材７に固定される。
【００２４】
本発明に係る固定部材２または可動部材４の第１および第２ピン孔３、５は、樹脂又は金属で充填されて当該樹脂又は金属に写し孔が形成されていることが好ましい。樹脂または金属を用いて写し孔を形成することにより、可動部材４と固定部材２との位置精度をさらに向上させることができる。
【００２５】
また、固定部材２と可動部材４との少なくとも一方を、特にセラミックスから構成することが好ましい。セラミックスとしては、例えば、Ａｌ２Ｏ３、ＳｉＯ２、ＴｉＯ２、Ｔｉ２Ｏ３、ＺｒＯ２、Ｙ２Ｏ３、ＢａＴｉＯ３、ＳｒＴｉＯ３等の酸化物系セラミックス、ＡｌＮ、Ｓｉ３Ｎ４、ＳｉＮ、ＴｉＮ、ＢＮ、ＺｒＮ、ＨｆＮ、ＶＮ、ＴａＮ、ＮｂＮ、ＣｒＮ、Ｃｒ２Ｎ等の窒化物系セラミックス、グラファイト、ＳｉＣ、ＺｒＣ、Ａｌ４Ｃ３、ＣａＣ２、ＷＣ、ＴｉＣ、ＨｆＣ、ＶＣ、ＴａＣ、ＮｂＣ等の炭化物系セラミックス、ＺｒＢ２、ＭｏＢ等のホウ化物系セラミックス、あるいは、これらのうちの２以上を任意に組み合わせた複合セラミックスが挙げられる。
さらに、サーメットもセラミックスの一種であり好適に使用できる。
【００２６】
しかしながら、本発明における機能を発揮しうる限り、固定部材２および可動部材４は如何なる材料から構成されていても良く、セラミックス材料に限定されるわけではない。例えば、金属、合金、プラスティック等であっても良い。
【００２７】
図８（ａ）〜（ｃ）は、本発明に係る係止部材の上面図、前面図、および側面図である。係止部材７は、固定部材２の中央に設けられた長孔１３の貫通孔内にあって、固定部材２と可動部材４とが重なり合ったとき固定部材２と可動部材４とを係止する。係止部材７は、２つの同形の部材１６が対称に重なり合ってなり、これらを図８（ａ）〜（ｃ）に示すように組み付けその両端を押圧することにより、突出部１７が外側に移動して、可動部材４の第２貫通孔１５から突出部１７が外れて、可動部材４が係止部材７から開放される。可動部材４を例えばセラミックスで構成した場合、焼成による収縮等により、係止部材７に係合される可動部材４の他端下部の第２貫通孔１５の位置がずれてしまい、可動部材４の開閉を良好に行なうことができない場合があるが、本発明のように可動部材４の一端に形成された第２ピン孔５の内部に弾性部材８を配設し、当該弾性部材８により可動部材４を例えばその他端側へ押圧することにより、係止部材７の突出部１７と可動部材４他端下部の第２貫通孔１５との位置ずれを防止することができることから固定部材２に対して位置精度を良好に維持したまま可動部材４の開閉を実行することができる。
【００２８】
（実施の形態２）
図９は、本発明の実施の形態２に係る腕時計の概略図であり、中留１を全開にした状態、および半開にした状態を示している。
【００２９】
図９に示すように、本発明の実施の形態２に係る腕時計１８は、本発明の実施の形態１に係るバンド用中留１と、バンド用中留１の可動部材４の他端上部の第１貫通孔１４に接続されたバンド部１９と、バンド部１９に接続された時計部２０と、を備える。可動部材４は、係止部材７の突出部１７が可動部材４の他端下部の第２貫通孔１５から外れることにより開放される。可動部材４の開方向は、図９に示すように、時計部２０に対して反対方向である。
【００３０】
本発明に係る腕時計１８では、バンド用中留１がセラミックス等で構成されている場合であっても、可動部材４の一端側の第２ピン孔５内部に弾性部材８を配設し、当該弾性部材８により可動部材４を他端側へ押圧しているため、可動部材４と固定部材２との位置精度を良好に保つことができる。
【００３１】
なお、ここまでは、腕時計用のバンドについて説明してきたが、本発明に係るバンド用中留１は、例えば、ブレスレット、ネックレス等のバンドにも適用することができる。この場合、バンドは、本実施の形態１に係るバンド用中留１と、上記バンド用中留の可動部材４の他端に接続されたバンド部と、を備えてなる。
【００３２】
本発明に係るバンドでは、上記同様、バンド用中留１がセラミックス等で構成されている場合であっても、可動部材４の一端側の貫通孔内部に弾性部材８を配設し、当該弾性部材により可動部材８を他端側へ押圧しているため、可動部材４と固定部材２との位置精度を良好に保つことができる。
【図面の簡単な説明】
【００３３】
【図１】図１は、実施の形態１に係る両開き式のバンド用中留の概略斜視図である。
【図２】図２（ａ）は実施の形態１に係る両開き式のバンド用中留の上面図であり、図２（ｂ）はその前面図である。
【図３】図３は、固定部材と可動部材との連結部の拡大図であり、可動部材に外力が掛からない状態の図である。
【図４】図４は、固定部材と可動部材との連結部の拡大図であり、可動部材に外力が掛かった状態の図である。
【図５】図５は、実施の形態１に係る弾性部材の斜視図である。
【図６】図６（ａ）は、固定部材の上面図であり、図６（ｂ）は、その前面図である。
【図７】図７（ａ）〜（ｃ）は、実施の形態１に係る可動部材の上面図、前面図、および側面図である。
【図８】図８（ａ）〜（ｃ）は、実施の形態１に係止部材の上面図、前面図、および側面図である。
【図９】図９は、実施の形態２に係る腕時計の概略図であり、中留を全開にした状態、および半開にした状態を示している。
【符号の説明】
【００３４】
１  バンド用中留
２  固定部材
３  第１ピン孔
４  可動部材
５  第２ピン孔
６  連結ピン
７  係止部材
８  弾性部材
９  弾性部材を収納するスペース
１０  筒状体
１１  チューブ
１２  ピン
１３  長孔
１４  第１貫通孔
１５  第２貫通孔
１６  部材
１７  突出部
１８  腕時計
１９  バンド部
２０  時計部
【図１】
2010029355.tif 000003
【図２】
2010029355.tif 000004
【図３】
2010029355.tif 000005
【図４】
2010029355.tif 000006
【図５】
2010029355.tif 000007
【図６】
2010029355.tif 000008
【図７】
2010029355.tif 000009
【図８】
2010029355.tif 000010
【図９】
2010029355.tif 000011